【事件の表示】
　平成１１年特許願第２６４６５８号「情報処理方法および装置、並びにプログラム」拒絶査定不服審判事件〔平成１３年　４月　６日出願公開、特開２００１−　９４９１６〕について、次のとおり審決する。
【結　論】
　本件審判の請求は、成り立たない。
【理　由】
　
第１　経緯
　
１　手続
　本願は、平成１１年９月１７日の出願であって、手続の概要は以下のとおりである。
　
　手続補正書（明細書の補正）　：平成１８年　３月１０日
　拒絶理由通知　　　　　　　　：平成２０年　７月１５日（起案日）
　手続補正書（明細書の補正）　：平成２０年　９月１６日
　拒絶理由通知（最後）　　　　：平成２０年１０月２８日（起案日）
　手続補正書（明細書の補正）　：平成２０年１２月２４日
　補正の却下の決定　　　　　　：平成２１年　１月２８日（起案日）
　拒絶査定　　　　　　　　　　：平成２１年　１月２８日（起案日）
　審判請求書　　　　　　　　　：平成２１年　３月　５日
　手続補正書（明細書の補正）　：平成２１年　４月　３日
　
２　査定
　原査定の拒絶の理由は概略、以下のとおりである。
　
　　　　　　　　　　　　　　　理　由
（１）平成２０年９月１６日付けでした手続補正は、下記の点で願書に最初に添付した明細書又は図面に記載した事項の範囲内においてしたものでないから、特許法第１７条の２第３項に規定する要件を満たしていない。
　　　　　　　　　　　　　　　　記
　請求項５、請求項１１、請求項１７、及び【０００９】、【００１２】、【００１６】に記載した事項は、願書に最初に添付した明細書又は図面に記載した事項の範囲内にない。
　
（２）この出願の請求項１、２、６−８、１２−１４、１８に係る発明は、その出願前に日本国内又は外国において頒布された下記の刊行物１に記載された発明であるから、特許法第２９条第１項第３号に該当し、特許を受けることができない。
　
（３）この出願の請求項１−４、６−１０、１２−１６、１８に係る発明は、その出願前に日本国内又は外国において頒布された刊行物１、２に記載された発明に基いて、その出願前にその発明の属する技術の分野における通常の知識を有する者が容易に発明をすることができたものであるから、特許法第２９条第２項の規定により特許を受けることができない。
　　　　　　　　　　　　　　　　記
　刊行物１：特開平９−１７９４９１号公報
　刊行物２：特開平１０−３１９４９４号公報
　
　
第２　補正却下の決定
　平成２１年４月３日付けの手続補正について、以下のとおり決定する。
　
［補正却下の決定の結論］
　平成２１年４月３日付けの手続補正を却下する。
　
［理由］
１　本件補正の内容
　平成２１年４月３日付けの手続補正（以下「本件補正」という）は、本件補正前、平成２０年９月１６日付け手続補正書により補正された明細書についてする補正であり、下記の補正前の請求項１ないし１８を、下記の補正後の請求項１ないし９とする補正を含むものである。また、発明の詳細な説明についても、特許請求の範囲にあわせて補正している。
　
　　　　　　　　　記（補正前の請求項１ないし１８）
「　【請求項１】　位置情報と前記位置情報が得られた時間を表す第１の時間情報とを関連付けて第１の記憶手段に記憶する第１の記憶ステップと、
　画像情報と前記画像情報が得られた時間を表す第２の時間情報とを関連付けて第２の記憶手段に記憶する第２の記憶ステップと、
　前記画像情報に関連付けられた前記第２の時間情報に基づいて、前記第１の記憶手段に記憶された第１の時間情報から、所定の第１の時間情報を抽出する抽出ステップと、
　前記抽出ステップで抽出された前記所定の第１の時間情報に基づいて、前記画像情報と所定の位置情報とを関連付ける関連付けステップと
　を含む情報処理方法。
　　【請求項２】　前記抽出ステップは、前記画像情報に関連付けられた前記第２の時間情報に一致する、前記第１の記憶手段に記憶された第１の時間情報を、前記所定の第１の時間情報として抽出し、
　前記関連付けステップは、前記所定の第１の時間情報に関連付けられた位置情報を、前記所定の位置情報として、前記画像情報に関連付ける
　請求項１に記載の情報処理方法。
　　【請求項３】　前記抽出ステップは、前記画像情報に関連付けられた前記第２の時間情報に近い複数の第１の時間情報を、前記所定の第１の時間情報として抽出し、
　前記関連付けステップは、前記複数の第１の時間情報に関連付けられた複数の位置情報に基づいて前記所定の位置情報を生成し、前記画像情報に関連付ける
　請求項１に記載の情報処理方法。
　　【請求項４】　前記関連付けステップは、前記画像情報に関連付けられた前記第２の時間情報の前記複数の第１の時間情報に対する内分比率と、前記複数の第１の時間情報に関連付けられた複数の位置情報とに基づいて、前記所定の位置情報を生成し、前記画像情報に関連付ける
　請求項３に記載の情報処理方法。
　　【請求項５】　前記抽出ステップは、前記第１の記憶手段が前記第２の記憶手段に接続されたときに、前記所定の第１の時間情報の抽出を行う
　請求項１に記載の情報処理方法。
　　【請求項６】　表示される地図上の前記所定の位置情報に対応する箇所に前記画像情報に基づく画像を表示する表示ステップ
　をさらに備える請求項１に記載の情報処理方法。
　　【請求項７】　位置情報と前記位置情報に関連付けられ前記位置情報が得られた時間を表す第１の時間情報とを受信する通信手段と、
　画像情報と前記画像情報が得られた時間を表す第２の時間情報とを関連付けて記憶する記憶手段と、
　前記画像情報に関連付けられた前記第２の時間情報に基づいて、前記受信した第１の時間情報から、所定の第１の時間情報を抽出する抽出手段と、
　抽出された前記所定の第１の時間情報に基づいて、前記画像情報と所定の位置情報とを関連付ける関連付け手段と
　を備える情報処理装置。
　　【請求項８】　前記抽出手段は、前記画像情報に関連付けられた前記第２の時間情報に一致する、前記第１の記憶手段に記憶された第１の時間情報を、前記所定の第１の時間情報として抽出し、
　前記関連付け手段は、前記所定の第１の時間情報に関連付けられた位置情報を、前記所定の位置情報として、前記画像情報に関連付ける
　請求項７に記載の情報処理装置。
　　【請求項９】　前記抽出手段は前記画像情報に関連付けられた前記第２の時間情報に近い複数の第１の時間情報を、前記所定の第１の時間情報として抽出し、
　前記関連付け手段は、前記複数の第１の時間情報に関連付けられた複数の位置情報に基づいて前記所定の位置情報を生成し、前記画像情報に関連付ける
　請求項７に記載の情報処理装置。
　　【請求項１０】　前記関連付け手段は、前記画像情報に関連付けられた前記第２の時間情報の前記複数の第１の時間情報に対する内分比率と、前記複数の第１の時間情報に関連付けられた複数の位置情報とに基づいて、前記所定の位置情報を生成し、前記画像情報に関連付ける
　請求項９に記載の情報処理装置。
　　【請求項１１】　前記抽出手段は、前記第１の記憶手段が前記第２の記憶手段に接続されたときに、前記所定の第１の時間情報の抽出を行う
　請求項７に記載の情報処理装置。
　　【請求項１２】　表示される地図上の前記所定の位置情報に対応する箇所に前記画像情報に基づく画像を表示する表示手段
　をさらに備える請求項７に記載の情報処理装置。
　　【請求項１３】　位置情報と前記位置情報が得られた時間を表す第１の時間情報とを関連付けて第１の記憶手段に記憶する第１の記憶ステップと、
　画像情報と前記画像情報が得られた時間を表す第２の時間情報とを関連付けて第２の記憶手段に記憶する第２の記憶ステップと、
　前記画像情報に関連付けられた前記第２の時間情報に基づいて、前記第１の記憶手段に記憶された第１の時間情報から、所定の第１の時間情報を抽出する抽出ステップと、
　前記抽出ステップで抽出された前記所定の第１の時間情報に基づいて、前記画像情報と所定の位置情報とを関連付ける関連付けステップと
　を含む処理を実行させるコンピュータが読み取り可能なプログラム。
　　【請求項１４】　前記抽出ステップは、前記画像情報に関連付けられた前記第２の時間情報に一致する、前記第１の記憶手段に記憶された第１の時間情報を、前記所定の第１の時間情報として抽出し、
　前記関連付けステップは、前記所定の第１の時間情報に関連付けられた位置情報を、前記所定の位置情報として、前記画像情報に関連付ける
　請求項１３に記載のプログラム。
　　【請求項１５】　前記抽出ステップは、前記画像情報に関連付けられた前記第２の時間情報に近い複数の第１の時間情報を、前記所定の第１の時間情報として抽出し、
　前記関連付けステップは、前記複数の第１の時間情報に関連付けられた複数の位置情報に基づいて前記所定の位置情報を生成し、前記画像情報に関連付ける
　請求項１３に記載のプログラム。
　　【請求項１６】　前記関連付けステップは、前記画像情報に関連付けられた前記第２の時間情報の前記複数の第１の時間情報に対する内分比率と、前記複数の第１の時間情報に関連付けられた複数の位置情報とに基づいて、前記所定の位置情報を生成し、前記画像情報に関連付ける
　請求項１５に記載のプログラム。
　　【請求項１７】　前記抽出ステップは、前記第１の記憶手段が前記第２の記憶手段に接続されたときに、前記所定の第１の時間情報の抽出を行う
　請求項１３に記載のプログラム。
　　【請求項１８】　表示される地図上の前記所定の位置情報に対応する箇所に前記画像情報に基づく画像を表示する表示ステップ
　をさらに備える請求項１３に記載のプログラム。」
　
　　　　　　　　　記（補正後の請求項１ないし９） 
「　【請求項１】　所定期間毎に、位置情報と前記位置情報が得られた時間を表す第１の時間情報とを関連付けて、第１の記憶手段に記憶する第１の記憶ステップと、
　画像情報と前記画像情報が得られた時間を表す第２の時間情報とを関連付けて第２の記憶手段に記憶する第２の記憶ステップと、
　前記画像情報に関連付けられた前記第２の時間情報の前後に位置する前記第１の時間情報を、前記第１の記憶手段に所定期間毎に複数記憶された第１の時間情報から抽出する抽出ステップと、
　前記抽出ステップで抽出された前記第１の時間情報に基づいて、前記画像情報と所定の位置情報とを関連付ける関連付けステップと
　を含み、
　前記関連付けステップは、抽出された前記第１の時間情報に対する、前記画像情報に関連付けられた前記第２の時間情報の内分比率と、前記抽出された前記第１の時間情報に関連付けられた位置情報とに基づいて、前記所定の位置情報を生成し、前記画像情報に関連付ける
　情報処理方法。
　　【請求項２】　前記抽出ステップは、前記画像情報に関連付けられた前記第２の時間情報に一致する第１の時間情報があるときは、当該第１の時間情報を前記第１の時間情報として抽出し、
　前記関連付けステップは、前記第１の時間情報に関連付けられた位置情報を、前記所定の位置情報として、前記画像情報に関連付ける
　請求項１に記載の情報処理方法。
　　【請求項３】　表示される地図上の前記所定の位置情報に対応する箇所に前記画像情報に基づく画像を表示する表示ステップ
　をさらに備える請求項１に記載の情報処理方法。
　　【請求項４】　所定期間毎に、位置情報と前記位置情報に関連付けられ前記位置情報が得られた時間を表す第１の時間情報とを受信する通信手段と、
　画像情報と前記画像情報が得られた時間を表す第２の時間情報とを関連付けて記憶媒体に記憶する記憶手段と、
　前記画像情報に関連付けられた前記第２の時間情報の前後に位置する前記第１の時間情報を、前記通信手段で所定期間毎に受信された複数の第１の時間情報から抽出する抽出手段と、
　抽出された前記第１の時間情報に基づいて、前記画像情報と所定の位置情報とを関連付ける関連付け手段と
　を備え、
　前記関連付け手段は、抽出された前記第１の時間情報に対する、前記画像情報に関連付けられた前記第２の時間情報の内分比率と、前記抽出された前記第１の時間情報に関連付けられた位置情報に基づいて、前記所定の位置情報を生成し、前記画像情報に関連付ける　情報処理装置。
　　【請求項５】　前記抽出手段は、前記画像情報に関連付けられた前記第２の時間情報に一致する、前記記憶媒体に記憶された第１の時間情報があるときは、当該第１の時間情報を前記第１の時間情報として抽出し、
　前記関連付け手段は、前記第１の時間情報に関連付けられた位置情報を、前記所定の位置情報として、前記画像情報に関連付ける
　請求項４に記載の情報処理装置。
　　【請求項６】　表示される地図上の前記所定の位置情報に対応する箇所に前記画像情報に基づく画像を表示する表示手段
　をさらに備える請求項４に記載の情報処理装置。
　　【請求項７】　所定期間毎に、位置情報と前記位置情報が得られた時間を表す第１の時間情報とを関連付けて第１の記憶媒体へ記憶させる第１の記憶ステップと、
　画像情報と前記画像情報が得られた時間を表す第２の時間情報とを関連付けて第２の記憶媒体へ記憶させる第２の記憶ステップと、
　前記画像情報に関連付けられた前記第２の時間情報の前後に位置する前記第１の時間情報を、前記第１の記憶媒体に所定期間毎に複数記憶された第１の時間情報から抽出する抽出ステップと、
　前記抽出ステップで抽出された前記第１の時間情報に基づいて、前記画像情報と所定の位置情報とを関連付ける関連付けステップと
　を含み、
　前記関連付けステップは、抽出された前記第１の時間情報に対する、前記画像情報に関連付けられた前記第２の時間情報の内分比率と、前記抽出された前記第１の時間情報に関連付けられた位置情報とに基づいて、前記所定の位置情報を生成し、前記画像情報に関連付ける
　処理を実行させるコンピュータが読み取り可能なプログラム。
　　【請求項８】　前記抽出ステップは、前記画像情報に関連付けられた前記第２の時間情報に一致する、前記第１の記憶媒体に記憶された第１の時間情報があるときは、当該第１の時間情報を前記第１の時間情報として抽出し、
　前記関連付けステップは、前記第１の時間情報に関連付けられた位置情報を、前記所定の位置情報として、前記画像情報に関連付ける
　請求項７に記載のプログラム。
　　【請求項９】　表示される地図上の前記所定の位置情報に対応する箇所に前記画像情報に基づく画像を表示する表示ステップ
　をさらに備える請求項７に記載のプログラム。」 
　
２　補正の範囲（第１７条の２第３項）
　本件補正は、願書に最初に添付した明細書及び図面の記載に基づくものであるから、願書に最初に添付した明細書又は図面に記載した事項の範囲内においてする補正である。
　
３　補正の目的（第１７条の２第４項第１号〜第４号）
　本件補正により、補正前の請求項１、２、６−８、１２−１４、１８に記載した発明を特定するために必要な事項が減縮されている。また、補正前の請求項３−５、９−１１、１５−１７が削除され、それに伴い請求項が繰り上がっている。
　よって、本件補正は、平成１８年改正前特許法（平成１８年法律第５５号改正附則第３条第１項によりなお従前の例によるとされる同法による改正前の特許法）第１７条の２第４項第２号で規定する特許請求の範囲の減縮、及び、同条同項第１号で規定する請求項の削除に該当すると認められる。
　
４　独立特許要件（特許法第１７条の２第５項）
　本件補正は、上記のとおり、特許請求の範囲の減縮を目的として含んでいる。そこで、独立特許要件について検討する。
　
（１）補正後の本願発明
　本件補正後の請求項１に記載された発明（再掲、以下「本件補正発明」ともいう。）は、以下のとおりのものである。
　
　「所定期間毎に、位置情報と前記位置情報が得られた時間を表す第１の時間情報とを関連付けて、第１の記憶手段に記憶する第１の記憶ステップと、
　画像情報と前記画像情報が得られた時間を表す第２の時間情報とを関連付けて第２の記憶手段に記憶する第２の記憶ステップと、
　前記画像情報に関連付けられた前記第２の時間情報の前後に位置する前記第１の時間情報を、前記第１の記憶手段に所定期間毎に複数記憶された第１の時間情報から抽出する抽出ステップと、
　前記抽出ステップで抽出された前記第１の時間情報に基づいて、前記画像情報と所定の位置情報とを関連付ける関連付けステップと
　を含み、
　前記関連付けステップは、抽出された前記第１の時間情報に対する、前記画像情報に関連付けられた前記第２の時間情報の内分比率と、前記抽出された前記第１の時間情報に関連付けられた位置情報とに基づいて、前記所定の位置情報を生成し、前記画像情報に関連付ける
　情報処理方法。」 
　
（２）刊行物１の記載
　原査定の拒絶の理由で引用された特開平９−１７９４９１号公報（以下、「刊行物１」ともいう。）には、図面とともに、以下の事項が記載されている。
　
［発明の目的］
「　　【０００１】
　　【発明の属する技術分野】
　本発明は、画像処理システムに関し、特に、デェジタル式のカメラにより撮影された写真をナビゲーション装置によって得られた走行軌跡に関連して表示し得る画像処理システムに関するものである。」
　
「　　【０００２】
　　【従来の技術】
　車載用ナビゲーション装置では、ＧＰＳ（クローバル・ポジショニング・システム）受信機により自車位置を検出し、モニタ上に自車位置を表示して目的地までの経路誘導を行っている。ここで、通過した道路上に所定のマークを重ねることにより走行軌跡を該モニタ上に表示する方式のものが実用化されている。
　　　【０００３】
　撮影した画像をデェジタルデータとしてメモリに保持するデェジタルカメラが広く提供されている。
　　　【０００４】
　　【発明が解決しようとする課題】
　しかしながら、デェジタルカメラは、フイルム式のカメラとの差別化の必要上、フイルム式の上限が３６枚程度であるのに対して、１００枚以上の撮影が行い得るようにしたものが主流となっている。ここで、画像と共に撮影時刻を記憶していが、１００枚という多数の写真が写された際に、撮影時刻のみでは写真の整理が困難になるという課題があった。」
　
［発明の構成］
「　　【００１０】
　　【発明の実施の形態】
　以下本発明の実施態様について図を参照して説明する。
　図１（Ａ）は、本発明の一実施例に係る車載用ナビゲーション装置の構成を示すブロック図である。この実施例では、自車位置の測定装置としてＧＰＳ受信機１８を用いている。
　　　【００１１】
　ＧＰＳ受信機１８は、車両に取り付けられた専用アンテナ１８ａで受信した電波からデータを復調し、データ処理することにより自車位置を算出する。算出された自車位置データはＣＰＵ１２へ送られる。なお、ＣＰＵ１２は、図示しないジャイロ及び車速センサからの出力によりＧＰＳ受信機１８からの位置情報に補正を加えるようになっている。
　　　【００１２】
　ＣＤＲＯＭプレーヤ３０に装填されているＣＤＲＯＭ（図示せず）には、地図を所定のフォーマットにデータ加工して北緯・東経の座標と対応させた地図データが記録されている。ＣＤＲＯＭプレーヤ３０は、該ＣＤＲＯＭを再生して所望の地図データを読み出し、ＣＰＵ１２へ送る。
　　　【００１３】
　ＣＰＵ１２は、ＣＤＲＯＭプレーヤ３０に対して必要なデータを読み出させる。これにより読み出されたデータによって作成された地図画面データが、グラフィック・ディスプレイ・コントローラ（ＧＤＣ）２２を介してＶＲＡＭ２４に書き込まれる。ＧＤＣ２２は画面データをＶＲＡＭ２４に記憶させると共に、表示タイミング信号を発生してモニタ２８に出力し、また、ＶＲＡＭ２４に記憶されている画面データを読み出す信号を出力する。ＶＲＡＭ２４から読み出されたデータの出力は、パレットＤＡＣ２６でアナログＲＧＢ信号に変換されモニタ２８にて画像として表示される。
　　　【００１４】
　ＲＯＭ１４は、ＣＰＵ１２の作業手順（プログラム）や固定データが記憶されたメモリである。また、ＲＡＭ１６は、ＣＰＵ１２が各種の処理を進める際に必要に応じて使用する作業用メモリである。入力装置２０は、目的地の電話番号等を入力するためのテンキーを備え、使用者が指によりキーを押圧することにより車載用ナビゲーション装置の目的地の設定及び操作を行う装置であって、操作に応じた信号をＣＰＵ１２へ送出する。
　　　【００１５】
　記憶装置３４には、図示しないスロットルへの着脱の可能なＲＡＭカード３６が装填されている。ＣＰＵ１２は、所定時間或いは所定走行距離毎に記憶装置３４を介して該ＲＡＭカード３６に座標及び時刻を記憶することにより走行軌跡を保持している。時計３２は現在時刻を検出して、ＣＰＵ１２へ送るようになっている。また、受信機３８は、図１（Ｂ）に示すリモートコントロール装置４０から赤外線にて送られた指示をＣＰＵ１２側に転送するように構成されている。
　　　【００１６】
　リモートコントロール装置４０には、図１（Ｂ）に示すようにモニタ２８上の後述するカーソルを移動させるスクロールキー４２と、クリックキー４４と、画像切り換えキー４６と、その他の入力を行う入力キー４８ａ、４８ｂ、４８ｃ、４８ｃとが備えられている。
　　　【００１７】
　ここで、本発明の車載用ナビゲーション装置のＣＰＵ１２による処理について、図２のフローチャートを参照して説明する。まず、ＣＰＵ１２は、ＧＰＳ受信機１８からのデータに基づき、現在位置の座標（北緯・東経）を検出する（Ｓ１２）。そして、図示しないホイルーセンサからの出力に基づき走行距離を積算する（Ｓ１４）。その後、所定距離（ここでは、１Ｋｍとする）走行したかを判断する（Ｓ１６）。ここで、１Ｋｍ走行する毎に（Ｓ１６がＹｅｓ）、ＲＡＭカード３６に現在の座標と現在時刻とを記憶する（Ｓ２０）。他方、所定距離走行していないときには（Ｓ１６がＮｏ）、所定時刻かを判断する（Ｓ１８）。ここで、所定時刻（例えば、１分ごと）に（Ｓ１８がＹｅｓ）、ＲＡＭカード３６に現在の座標及び時刻を記憶する（Ｓ２０）。
　　　【００１８】
　引き続き、図１（Ｂ）に示すリモートコントロール装置４０のカーソルキー４２が操作されたかを判断し（Ｓ２２）、カーソルキー４２が操作されない限り（Ｓ２２がＮｏ）、クリックキー４４が操作されたかを判断し（Ｓ２６）、クリックキー４２が操作されないと（Ｓ２６がＮｏ）、画像切り換えの指示がなされたかの判断を経て（Ｓ３０）、ナビゲーション処理を行う（Ｓ３２）。ここでは、図３（Ａ）に示すように現在位置を含む地図をモニタ２８に表示するとともに、自車の現在位置Ｘを進行方向に沿って当該地図上に重ねる。以上の処理を繰り返すことにより、走行軌跡を保持しつつ経路案内を行う。
　　　【００１９】
　ここで、図１（Ｂ）に示すリモートコントロール装置４０のカーソルキー４２が操作されると（Ｓ２２がＹｅｓ）、クリックキー４４の操作に従いモニタ２８上のカーソルＹを図３（Ｂ）に示すように移動する（Ｓ２４）。そして、クリックキー４４が操作されると（Ｓ２６がＹｅｓ）、当該カーソルＹで指定された地点の座標（例えば、北緯１３５：１１：１２、東経３５：２１：４４）及び通過時刻（２７日ＰＭ０１：３３）をＲＡＭカード３６を検索して求め、図３（Ｃ）に示すように表示する。
　　　【００２０】
　他方、図１（Ｂ）に示すリモートコントロール装置４０の画像切り換えキー４６が操作されると（Ｓ３０）、ナビゲーション処理を一時中断し、操作者により選択された地図に画像を切り換える（Ｓ３４）。その後、上述した処理と同様にして、当該地図画像上に指定された点の位置座標及び通過時刻を表示する（Ｓ２２〜Ｓ２８）。即ち、図３（Ａ）〜図３（Ｂ）を参照した例では、経路案内中の地図画像において、当該画像に表示されている地図の範囲内で走行経路上の点の座標及び通過時刻を表示したが、この地図上に表示されていない過去の通過位置の座標及び通過時刻を表示する際には、ステップ３０及びステップ３４にて地図を過去に走行したものに切り換えさせて行う。
　　　【００２１】
　引き続き、上述した処理によりＲＡＭカード３６に保持された走行軌跡に基づき、図４（Ｂ）に示すデェジタルカメラ７０のＲＡＭカード（図示せず）に保持された写真を整理する画像処理装置による処理について図４乃至図８を参照して説明する。ここで、上記車載用ナビゲーション装置の搭載された車両の運転者は、該車両によって移動しながら、デェジタルカメラ７０により風景等を撮影し、このデェジタルカメラ７０の写真を図４（Ａ）に示す画像処理装置にて再生・編集するものとして以下の説明を行う。なお、それぞれの写真には撮影した日時が併せて保持されている。
　　　【００２２】
　画像処理装置のコンピュータ５０には、モニタ５２と、キーボード５６と、車載用ナビゲーション装置のＲＡＭカード３６のデータを読み出すためのカード読み出し装置６０と、デェジタルカメラ７０のＲＡＭカードを読み出すためのカード読み出し装置６２と、プリンタ６４とが接続されている。ここで、カード読み出し装置６０のスロットル６０ａには、図２を参照して上述した処理により走行軌跡及び通過時刻の保持されたＲＡＭカード３６が装填され、また、カード読み出し装置６２のスロットル６２ａには、デェジタルカメラ７０により撮影された写真データを保持するＲＡＭカードが装填されている。
　　　【００２３】
　図５は、コンピュータ５０による画像再生・編集処理のフローチャートを示している。コンピュータ５０は図１に示したＣＤＲ０ＭプレーヤのＣＤＲＯＭによる地図データとほぼ等しい地図データを保持している。このコンピュータは、先ず、カード読み出し装置６０を介してＲＡＭカード３６から車載用ナビゲーション装置の走行軌跡（座標及び通過時刻）を取り込み（Ｓ４２）、引き続き、カード読み出し装置６２を介してデェジタルカメラ７０により撮影された写真データを取り込む（Ｓ４４）。その後、ＲＡＭカード３６の車載用ナビゲーション装置の走行座標内の最も北東に位置する座標と最も南西に位置する座標とを抽出し、これら座標に囲まれる地図（表示領域の選択用の地図）をモニタ５２に図６（Ａ）に示すように上に表示する（Ｓ４６）。即ち、ＲＡＭカード３６に保持されている車載用ナビゲーション装置の走行軌跡を全て網羅する範囲の地図を先ず表示する。
　　　【００２４】
　ここで、図６（Ａ）に示す地図上に操作者が枠５０ａで表示領域を選択した場合には（Ｓ４８がＹｅｓ）、当該枠５０ａで囲まれた範囲の地図が図６（Ｂ）に示すように表示される。他方、操作者が枠ではなく（Ｓ４８がＮｏ）、日付で走行領域を指定した場合（Ｓ５０がＹｅｓ）、コンピュータ５０は、当該日付（例えば、２７日）に走行した経路軌跡中の最も北東に位置する座標と最も南西に位置する座標とを抽出し、これら座標に囲まれる地図をモニタ５２に上に表示する（Ｓ５４）。なお、日付による走行範囲の指定は１日のみでなく、複数の日付を選択して数日に渡る走行範囲を指定することも可能である。
　　　【００２５】
　コンピュータ５０は、上述したステップ４８で枠５０ａにより表示範囲が指定された際には、モニタ５２上に表示されている範囲内にある、走行軌跡の通過日時（ここでは、２７日のＰＭ１２〜ＰＭ４であるとする）に於いて撮影されたデェジタルカメラ７０の写真を、当該写真の各日時に従い抽出する（Ｓ５３）。即ち、このモニタ５２に表示されている軌跡を走行しながら取った写真を抽出する。そして、各写真についてそれぞれの日時に基づき撮影された位置座標を検索し（Ｓ５６）、表示している地図上の該当する位置座標に、図７（Ｃ）に示すよう写真をスーパーインポーズする（Ｓ５８）。なお、図示のように複数の写真は、ずらして表示することにより各々の内容が確認できるようにする。
　　　【００２６】
　そして、図７（Ｄ）に示すように特定の写真がカーソルＹにより指定され、移動が指示された場合には（Ｓ６０がＹｅｓ）、当該写真を図７（Ｄ）に示すように移動する（Ｓ６２）。また、カーソルＹで指示された写真の拡大が指示されたときには（Ｓ６４がＹｅｓ）、図８（Ｅ）に示すように当該写真を拡大する。なお、図８（Ｅ）は最大限に拡大された写真を示しているが、この実施態様では、各々の写真の大きさを連続的に拡大・縮小できる。更に、キーボード５６を介して文字が入力された際には（Ｓ６８がＹｅｓ）、入力された文字を図８（Ｆ）に示すようにスーパーインポーズする（Ｓ７０）。そして、操作者によりプリントアウトが指示された際には（Ｓ７２がＹｅｓ）、モニタ５２上での編集の完了した画像を図４（Ａ）に示すプリンタ６４にて出力する。ステップ６０からステップ７４の編集処理を繰り返し、走行軌跡に沿っての編集が完了すると（Ｓ７６がＹｅｓ）、全ての処理が完了する。
　　　【００２７】
　この実施態様によれば、図１に示す車載用ナビゲーション装置を搭載する車両にて旅行に出て、図４（Ｂ）に示すデェジタルカメラ７０によって写真を取った際に、写真の整理が簡単にできるとともに、走行軌跡上に写真を編集できるため、いわゆる旅の日誌を容易に作り出すことができる。」
　
「　　【００２８】
　引き続き、本発明の第２実施態様の画像処理装置について説明する。
　図９は、本発明の第２実施態様の係る画像処理装置による処理を示している。上述した第１実施態様では、デェジタルカメラ７０が写真と共に日時を保持したが、この第２実施態様では、デェジタルカメラ７０にＧＰＳ受信機が備えられ、写真と共に写真を取った位置の座標が保持されている。この第２実施態様においても、第１実施態様の車載用ナビゲーション装置によりＲＡＭカード３６に記録された走行軌跡のデータが用いられるものとする。なお、第２実施態様の画像処理装置の機械的構成は、図４（Ａ）を参照して上述した第１実施態様と同様であるため、図示及び説明を省略する。」
　
「　　【００３０】
　この第２実施態様では、写真側に座標が保持されているので、車両の走行中に連続的に写真を取った場合に、各々の写真が道路上のどの位置から撮影したが判別し易い利点がある。」
　
［発明の効果］
「　　【００３２】
　　【効果】
　以上記述したように本発明の画像処理システムによれば、デェジタルカメラで撮影された多数の写真を容易に整理できるとともに、走行経路に写真を合成した日誌を簡易に作成することが可能となる。」
（刊行物１の記載、以上）
　
（３）刊行物に記載された発明
　刊行物１の第１実施態様から、刊行物１に記載された発明（以下、「刊行物１発明」ともいう。）を方法の発明として認定する。
　
（ア）情報処理方法
　「本発明は、画像処理システムに関し、特に、デェジタル式のカメラにより撮影された写真をナビゲーション装置によって得られた走行軌跡に関連して表示し得る画像処理システムに関する」（段落【０００１】）ものであり、処理の方法が記載されていると認められる（図２、図４にはフローチャート等）から、刊行物１には、『画像処理方法』の発明が記載されていることは、明らかである。
　
（イ）現在位置の座標及び時刻を記憶
　「本発明の車載用ナビゲーション装置のＣＰＵ１２による処理について、図２のフローチャートを参照して説明する。まず、ＣＰＵ１２は、ＧＰＳ受信機１８からのデータに基づき、現在位置の座標（北緯・東経）を検出する（Ｓ１２）。」、「他方、所定距離走行していないときには（Ｓ１６がＮｏ）、所定時刻かを判断する（Ｓ１８）。ここで、所定時刻（例えば、１分ごと）に（Ｓ１８がＹｅｓ）、ＲＡＭカード３６に現在の座標及び時刻を記憶する（Ｓ２０）。」（段落【００１７】）、図１（Ａ）によれば、
　刊行物１発明は、『車載用ナビゲーション装置のＧＰＳ受信機１８からのデータに基づいて検出された現在位置の座標（北緯・東経）及び時刻を、所定時刻、例えば１分ごとに、ＲＡＭカード３６に記憶する』といえる。
　
（ウ）写真と日時を保持
　「図４（Ｂ）に示すデェジタルカメラ７０のＲＡＭカード（図示せず）に保持された写真を整理する画像処理装置による処理について図４乃至図８を参照して説明する。ここで、上記車載用ナビゲーション装置の搭載された車両の運転者は、該車両によって移動しながら、デェジタルカメラ７０により風景等を撮影し、このデェジタルカメラ７０の写真を図４（Ａ）に示す画像処理装置にて再生・編集するものとして以下の説明を行う。なお、それぞれの写真には撮影した日時が併せて保持されている。」（段落【００２１】）によれば、
　刊行物１発明は、『車載用ナビゲーション装置の搭載された車両の運転者が撮影した風景等の写真を、撮影した日時と併せて、デェジタルカメラ７０のＲＡＭカードに保持する』といえる。
　
（エ）走行軌跡と写真データとから各写真の位置座標を検索
　「なお、それぞれの写真には撮影した日時が併せて保持されている。」（段落【００２１】）、
　「また、カード読み出し装置６２のスロットル６２ａには、デェジタルカメラ７０により撮影された写真データを保持するＲＡＭカードが装填されている。」（段落【００２２】）、
　「このコンピュータは、先ず、カード読み出し装置６０を介してＲＡＭカード３６から車載用ナビゲーション装置の走行軌跡（座標及び通過時刻）を取り込み（Ｓ４２）、引き続き、カード読み出し装置６２を介してデェジタルカメラ７０により撮影された写真データを取り込む（Ｓ４４）。」（段落【００２３】）、
　「そして、各写真についてそれぞれの日時に基づき撮影された位置座標を検索し（Ｓ５６）、表示している地図上の該当する位置座標に、図７（Ｃ）に示すよう写真をスーパーインポーズする（Ｓ５８）。」（段落【００２５】）によれば、
　刊行物１発明は、『ＲＡＭカード３６から取り込まれた車載用ナビゲーション装置の走行軌跡（座標及び通過時刻）と、デェジタルカメラ７０により撮影された写真データを保持するＲＡＭカードから取り込まれ、撮影した日時が併せて保持されている写真データとから、各写真についてそれぞれの日時に基づき撮影された位置座標を検索して、地図上の該当する位置座標に写真をスーパーインポーズして表示する』といえる。
　
（オ）刊行物１発明
　上記（ア）〜（エ）によれば、刊行物１には、次の「刊行物１発明」が記載されていると認められる。
　
　「車載用ナビゲーション装置のＧＰＳ受信機１８からのデータに基づいて検出された現在位置の座標（北緯・東経）及び時刻を、所定時刻、例えば１分ごとに、ＲＡＭカード３６に記憶するステップと、
　車載用ナビゲーション装置の搭載された車両の運転者が撮影した風景等の写真を、撮影した日時と併せて、デェジタルカメラ７０のＲＡＭカードに保持するステップと、
　ＲＡＭカード３６から取り込まれた車載用ナビゲーション装置の走行軌跡（座標及び通過時刻）と、デェジタルカメラ７０により撮影された写真データを保持するＲＡＭカードから取り込まれ、撮影した日時が併せて保持されている写真データとから、各写真についてそれぞれの日時に基づき撮影された位置座標を検索して、地図上の該当する位置座標に写真をスーパーインポーズして表示するステップと、
を含む画像処理方法。」
　
（４）対比
　本件補正発明と刊行物１発明とを対比する。
　
（ａ）「情報処理方法」
　刊行物１発明は、「画像処理方法」に関するものであるところ、この「画像処理」は、「情報処理」の技術的概念に包含されていることから、刊行物１発明は、“情報処理方法”に関するともいえる。
　そうすると、刊行物１発明は本件補正発明と同様に、“情報処理方法”に関するといえる。
　
（ｂ）「所定期間毎に、位置情報と前記位置情報が得られた時間を表す第１の時間情報とを関連付けて、第１の記憶手段に記憶する第１の記憶ステップ」
　刊行物１発明は、「１分ごとに」「ＧＰＳ受信機１８からのデータに基づいて検出された現在位置の座標」とその「通過時刻」とを「ＲＡＭカード３６に記憶する」ことから、“所定期間毎に、現在位置の座標とその通過時刻とを関連付けてＲＡＭカード３６に記憶する”といえる。
　ここで、上記「現在位置の座標」は、“位置情報”といえ、上記「その通過時刻」とは、「現在位置の座標」が「検出」された「時刻」を指すものであって、「時刻」は、“時間を表す時間情報”であるから、ここでいう「その通過時刻」は、“位置情報が得られた時間を表す時間情報”といえる。
　さらに、「時間情報」は、後述（ｃ）の“第２の時間情報”に対して“第１の時間情報”ともいえ、「ＲＡＭカード３６」は、後述（ｃ）の“第２の記憶手段”に対して“第１の記憶手段”ともいえる。
　そうすると、刊行物１発明は、“所定期間毎に、位置情報と前記位置情報が得られた時間を表す第１の時間情報とを関連付けて第１の記憶手段に記憶する記憶ステップ”を含むといえる。
　以上によると、刊行物１発明と本件補正発明は、『所定期間毎に、位置情報と前記位置情報が得られた時間を表す第１の時間情報とを関連付けて、第１の記憶手段に記憶する第１の記憶ステップ』を含む点で一致する。
　
（ｃ）「画像情報と前記画像情報が得られた時間を表す第２の時間情報とを関連付けて第２の記憶手段に記憶する第２の記憶ステップ」
　刊行物１発明は、「写真を、撮影した日時と併せて、デェジタルカメラ７０のＲＡＭカードに保持する」ことから、“写真と前記写真が撮影された日時とを関連付けてデェジタルカメラ７０のＲＡＭカードに記憶する”といえる。
　ここで、上記「写真」は、“画像情報”といえ、上記「写真が撮影された日時」は、“写真が得られた時間を表す時間情報”といえる。
　さらに、「時間情報」は、前述（ｂ）の“第１の時間情報”に対して“第２の時間情報”ともいえ、「デェジタルカメラ７０のＲＡＭカード」は、前述（ｂ）の“第１の記憶手段”に対して“第２の記憶手段”ともいえる。
　そうすると、刊行物１発明は、“画像情報と前記画像情報が得られた時間を表す第２の時間情報とを関連付けて第２の記憶手段に記憶する記憶ステップ”を含むといえる。
　以上によると、刊行物１発明と本件補正発明は、『画像情報と前記画像情報が得られた時間を表す第２の時間情報とを関連付けて第２の記憶手段に記憶する第２の記憶ステップ』を含む点で一致する。
　
（ｄ）「前記画像情報に関連付けられた前記第２の時間情報の前後に位置する前記第１の時間情報を、前記第１の記憶手段に所定期間毎に複数記憶された第１の時間情報から抽出する抽出ステップ」
　刊行物１発明は、「ＲＡＭカード３６から取り込まれた車載用ナビゲーション装置の走行軌跡（座標及び通過時刻）」と「撮影した日時が併せて保持されている写真データ」とを用いて、「各写真についてそれぞれの日時に基づき撮影された位置座標を検索」するものであるところ、
　「各写真」が撮影された「位置座標を検索」して、その検索結果を取得するためには、各写真ごとに、前記写真が撮影された「日時」と、走行軌跡のうちの「通過時刻」とを比較して、ＲＡＭカード３６に複数記憶された「通過時刻」の中から、所定の「通過時刻」を抽出しているといえることから、
　刊行物１発明は、“写真が得られた日時に基づく通過時刻を、ＲＡＭカード３６に複数記憶された通過時刻から抽出する”といえる。
　さらに、「写真」、「写真が得られた日時」、「通過時刻」、「ＲＡＭカード３６」は、それぞれ“画像情報”、“第２の時間情報”、“第１の時間情報”、“第１の記憶手段”といい得ることは、上述のとおりであって、
　「写真」と「写真が得られた日時」が関連付けられていることや、「ＲＡＭカード３６」には、複数の「通過時刻」が所定期間毎に記憶されていることも、上述のとおりである。
　そうすると、刊行物１発明は、“画像情報に関連付けられた第２の時間情報に基づく第１の時間情報を、第１の記憶手段に所定期間毎に複数記憶された第１の時間情報から抽出する抽出ステップ”を含むといえる。
　
　一方、本件補正発明は、「前記画像情報に関連付けられた前記第２の時間情報の
前後に位置する
　
　以上によると、刊行物１発明と本件補正発明は、『前記画像情報に関連付けられた前記第２の時間情報に基づく前記第１の時間情報を、前記第１の記憶手段に所定期間毎に複数記憶された第１の時間情報から抽出する抽出ステップ』を含む点で一致する。
　もっとも、抽出される第１の時間情報が、
　本件補正発明では、「第２の時間情報の前後に位置する第１の時間情報」であるのに対して、
　刊行物１発明では、「第２の時間情報に基づく第１の時間情報」である点、
では相違が認められる。
　
（ｅ）「前記抽出ステップで抽出された前記第１の時間情報に基づいて、前記画像情報と所定の位置情報とを関連付ける関連付けステップ」
　刊行物１発明は、「走行軌跡（座標及び通過時刻）」と「撮影した日時が併せて保持されている写真データ」とを用いて、「各写真についてそれぞれの日時に基づき撮影された位置座標を検索して、地図上の該当する位置座標に写真をスーパーインポーズして表示する」のであるから、
　「地図上の該当する位置座標に写真をスーパーインポーズして表示する」ためには、刊行物１発明は、当然、「写真が得られた日時」に近傍の「通過時刻」を抽出し、この抽出された「通過時刻」において検出された車両の「座標」（つまり、所定の座標）と前記「写真」とを関連付けているといえ、
　「通過時刻」、「写真」、「座標」は、それぞれ“第１の時間情報”、“画像情報”、“位置情報”といい得ることは、上述のとおりであって、ここでいう「通過時刻」である“第１の時間情報”は、上記（ｄ）で検討したとおり、“抽出ステップで抽出された第１の時間情報”である。
　そうすると、刊行物１発明は、“抽出ステップで抽出された第１の時間情報に基づいて、画像情報と所定の位置情報とを関連付ける関連付けステップ”を含むといえる。
　以上によると、刊行物１発明と本件補正発明は、『前記抽出ステップで抽出された前記第１の時間情報に基づいて、前記画像情報と所定の位置情報とを関連付ける関連付けステップ』を含む点で一致する。
　
（ｆ）「前記関連付けステップは、抽出された前記第１の時間情報に対する、前記画像情報に関連付けられた前記第２の時間情報の内分比率と、前記抽出された前記第１の時間情報に関連付けられた位置情報とに基づいて、前記所定の位置情報を生成し、前記画像情報に関連付ける」
　刊行物１発明は、関連付けステップが、抽出された第１の時間情報に対する、画像情報に関連付けられた第２の時間情報の内分比率と、抽出された前記第１の時間情報に関連付けられた位置情報とに基づいて、所定の位置情報を生成し、前記画像情報に関連付けていない。
　そうすると、上記（ｄ）の相違に起因する相違、すなわち、関連付けステップが、
　本件補正発明では、「抽出された前記第１の時間情報に対する、前記画像情報に関連付けられた前記第２の時間情報の内分比率と、前記抽出された前記第１の時間情報に関連付けられた位置情報とに基づいて、前記所定の位置情報を生成し、前記画像情報に関連付ける」のに対して、
　刊行物１発明では、そのような構成がない点、
では、相違が認められる。
　
（５）一致点・相違点
　以上の対比によれば、本件補正発明と刊行物１発明とは、
　
［一致点］
　所定期間毎に、位置情報と前記位置情報が得られた時間を表す第１の時間情報とを関連付けて、第１の記憶手段に記憶する第１の記憶ステップと、
　画像情報と前記画像情報が得られた時間を表す第２の時間情報とを関連付けて第２の記憶手段に記憶する第２の記憶ステップと、
　前記画像情報に関連付けられた前記第２の時間情報に基づく前記第１の時間情報を、前記第１の記憶手段に所定期間毎に複数記憶された第１の時間情報から抽出する抽出ステップと、
　前記抽出ステップで抽出された前記第１の時間情報に基づいて、前記画像情報と所定の位置情報とを関連付ける関連付けステップと
　を含む情報処理方法。
　
である点で一致し、
　
［相違点］
　抽出される第１の時間情報が、
　　本件補正発明では、「第２の時間情報の前後に位置する第１の時間情報」であるのに対して、
　　刊行物１発明では、「第２の時間情報に基づく第１の時間情報」であり、
　関連付けステップが、
　　本件補正発明では、「抽出された前記第１の時間情報に対する、前記画像情報に関連付けられた前記第２の時間情報の内分比率と、前記抽出された前記第１の時間情報に関連付けられた位置情報とに基づいて、前記所定の位置情報を生成し、前記画像情報に関連付ける」のに対して、
　　刊行物１発明では、そのような構成がない点、
　
で相違する。
　
（６）判断
　上記相違点について検討する。
　
　刊行物１の第２の実施態様には、
　「上述した第１実施態様では、デェジタルカメラ７０が写真と共に日時を保持したが、この第２実施態様では、デェジタルカメラ７０にＧＰＳ受信機が備えられ、写真と共に写真を取った位置の座標が保持されている。」（段落【００２８】）、
　「この第２実施態様では、写真側に座標が保持されているので、車両の走行中に連続的に写真を取った場合に、各々の写真が道路上のどの位置から撮影したが判別し易い利点がある。」（段落【００３０】）
と記載されていることから、刊行物１発明として認定した刊行物１の第１実施態様は、写真に座標が保持されていないので、各々の写真が道路上のどの位置から撮影したのかが判別しにくいものであることが理解できる。
　
　また、刊行物１には、「この第２実施態様では、写真側に座標が保持されているので、車両の走行中に連続的に写真を取った場合に、・・・」（段落【００３０】）と記載されていることから、刊行物１の第２の実施態様は、車両の走行中に写真を撮ることがあるといえ、このことは、刊行物１の第１実施態様においても同様であるといえる。
　そして、刊行物１発明は、現在位置の座標と時刻とを、所定時刻ごとにＲＡＭカード３６に記憶しておくところ、撮影者は、上述した車両の走行中など、自分の撮りたいタイミングで写真を撮影するのであるから、当業者であるなら、ＲＡＭカード３６に記憶された時刻と写真を撮影した日時とが必ずしも一致しないことは、充分に想定されるものである。
　
　そうすると、刊行物１発明は、ＲＡＭカード３６に記憶された時刻と写真を撮影した日時とが必ずしも一致しないことがあるので、各々の写真が道路上のどの位置から撮影したのかを判別しにくい、という課題を、当業者が容易に認識できるといえる。
　
　一方、原査定の拒絶の理由で引用された特開平１０−３１９４９４号公報（以下、「刊行物２」ともいう。）には、図面とともに、以下の事項が記載されている。
（なお、「○１」の表記は記号「○」中に数字「１」がある記号を示す（他の数字についても同じ）。情報処理装置の文字処理能力の事情により、以下、このように表記する。）
　
「【０００１】
    【発明の属する技術分野】
  本発明は、撮影位置を検出する位置検出手段と該撮影位置を記録する記録手段とを備えたカメラを用いて撮影した画像の画像表示装置に関するものである。」
　
「【０００３】
    【発明が解決しようとする課題】
  このため、撮影した画像を確認・整理する時に、撮影した場所を特定するのに困難性が高かった。
  本発明の目的は、画像を撮影した場所を容易に特定できる画像表示装置を提供することにある。」
　
「【００２４】
  或いは、カメラ１を、ＧＰＳ信号を受けている状態で撮影したコマに対しては前記位置情報と共に撮影した時の時刻情報もフィルム２に記録し、ＧＰＳ信号を受けていない状態で撮影したコマに対しては時刻情報のみを記録するように構成したカメラとし、画像表示装置に、ＧＰＳ信号を受けていない状態で撮影されたコマの前で、位置情報が記録された最後のコマの位置情報と時刻情報、及びそのコマの後で、最初に位置情報が記録されているコマの位置情報と時刻情報とからそのコマに適用する位置情報を決定する位置情報決定部１７を設けても良い。位置決定部１７による決定方法は、例えば以下の如くである。
　【００２５】
  ○１  そのコマの前で、最後に記録されたコマの位置情報（以下、最後の記録位置と言う。）とそのコマの後で、最初に記録されたコマの位置情報（以下、最初の記録位置と言う。）との差、（以下記録位置の差と言う。）及び、該コマの前で、最後に記録された時刻（以下、最後の記録時刻と言う。）と該コマの後で、最初に記録された時刻（以下、最初の記録時刻と言う。）との差（以下、記録時刻の差と言う）が、共に所定の値以内である時、位置情報決定部７は、そのコマの位置情報を前記最後の記録位置と前記最初の記録位置とを結ぶ直線を、前記記録時刻の差と、前記最後の記録時刻若しくは前記最初の記録時刻とそのコマを撮影した時に記録した時刻（以下、撮影時記録時刻と言う。）との比に分割する位置に対応する位置情報として決定する。
　【００２６】
  ○２  前記記録位置の差が所定の値以上である時であって、前記撮影時記録時刻が、前記最後の記録時刻から所定の値以内である時、位置情報決定部７は、前記位置情報を前記最後の記録位置を示す位置情報として決定する。
  ○３  前記記録位置の差が所定の値以上である時であって、前記撮影時記録時刻が、前記最初の記録時刻から所定の値以内である時、位置情報決定部７は、前記位置情報を前記最初の記録位置を示す位置情報として決定する。
　【００２７】
  上記○１、○２、○３の決定方法は、どれか一つを採用しても良いが、複数を併せ採用することが望ましく、全てを併せ採用することが最も望ましい。
  なお、位置情報決定部１７を備えた場合には、そのコマの前後のコマの位置情報と時刻情報とから位置情報が決定されるので、撮影時の前情報、後情報を指定する位置情報指定部５が不要となる。」
（刊行物２の記載、以上）
　
　上記刊行物２の段落【０００３】、段落【００２４】、段落【００２５】によれば、
　刊行物２に記載された発明として、
　『「画像を撮影した場所を容易に特定」するために、
　「撮影時記録時刻」の前後に位置する「最後の記録時刻」と「最初の記録時刻」とを、フィルムから抽出し、
　抽出された「最後の記録時刻」と「最初の記録時刻」に対する「撮影時記録時刻」の内分比率と、抽出された前記「最後の記録時刻」と「最初の記録時刻」に関連付けられた「最後の記録位置」と「最初の記録位置」に基づいて、「ＧＰＳ信号を受けていない状態で撮影されたコマ」の「位置情報を決定」して、その「位置情報」を当該コマに関連付ける』ものを認定することができる。
　
　ここで、刊行物２に記載された発明の「ＧＰＳ信号を受けていない状態で撮影されたコマ」は、“画像情報”といえる。
　刊行物２に記載された発明の「撮影時記録時刻」は、“第２の時間情報”ともいい得るものであって、「ＧＰＳ信号を受けていない状態で撮影されたコマ」、すなわち“画像情報”に関連付けられているものである。
　刊行物２に記載された発明の「最後の記録時刻」と「最初の記録時刻」は、“第１の時間情報”ともいい得るものである。
　刊行物２に記載された発明の「最後の記録位置」と「最初の記録位置」は、“第１の時間情報”といい得る「最後の記録時刻」、「最初の記録時刻」に関連付けられているから、“第１の時間情報に関連付けられた位置情報”といえる。
　以上によると、刊行物２に記載された発明は、
　「画像を撮影した場所を容易に特定するために、
　画像情報に関連付けられた第２の時間情報の前後に位置する第１の時間情報を抽出することと、
　抽出された前記第１の時間情報に対する、前記画像情報に関連付けられた前記第２の時間情報の内分比率と、抽出された前記第１の時間情報に関連付けられた位置情報とに基づいて、前記画像情報の位置情報を決定し、前記画像情報に関連付けることと、
　と、を含む」
ものであるといえる。
　
　ここで、上述したように、刊行物１発明には、ＲＡＭカード３６に記憶された時刻と写真を撮影した日時とが必ずしも一致しないことがあるので、各々の写真が道路上のどの位置から撮影したのかが判別しにくいという課題が存在していることを当業者が容易に認識できるところ、刊行物２に記載された発明は、画像を撮影した場所を容易に特定するための技術的事項を開示していることから、刊行物１発明に上記刊行物２に記載された発明を適用しようとすることは、当業者にとって容易に想起することといえる。
　そして、刊行物１発明に刊行物２に記載された発明を適用して、刊行物１発明の「抽出される第１の時間情報」を、「第２の時間情報の前後に位置する第１の時間情報」とし、「関連付けステップ」を、「抽出された第１の時間情報に対する、画像情報に関連付けられた第２の時間情報の内分比率と、抽出された前記第１の時間情報に関連付けられた位置情報とに基づいて、所定の位置情報を生成し、前記画像情報に関連付ける」ことは、当業者が容易になし得ることである。
　
（７）効果
　本件補正発明の構成は、上記のとおり当業者が容易になし得ることであるところ、本件補正発明の効果は、その容易になし得ることである構成から当業者が予測し得る範囲内のものであり、同範囲を超える格別顕著なものでもない。
　
（８）まとめ（独立特許要件）
　以上によれば、本件補正発明は、刊行物１、２に記載された発明に基づいて当業者が容易に発明をすることができたものであるから、特許法第２９条第２項の規定により、特許出願の際独立して特許を受けることができない。
　
　したがって、本件補正は、平成１８年法律第５５号改正附則第３条第１項によりなお従前の例とされる同法による改正前の特許法第１７条の２第５項において準用する同法第１２６条第５項の規定に違反する。
　
５　むすび（補正却下の理由）
　以上のとおり、本件補正は、平成１８年法律第５５号改正附則第３条第１項によりなお従前の例とされる同法による改正前の特許法第１７条の２第５項において準用する同法第１２６条第５項の規定に違反するものであるから、同法第１５９条第１項の規定において読み替えて準用する同法第５３条第１項の規定により却下すべきものである。
　
　よって、補正却下の決定の結論のとおり決定する。
　
　
第３　本願発明
　平成２１年４月３日付けの手続補正は上記のとおり却下されたので、本願の請求項１に係る発明（再掲、以下「本願発明」ともいう。）は、平成２０年９月１６日付け手続補正書により補正された特許請求の範囲の請求項１に記載された事項により特定される、以下のとおりのものである。
　
「位置情報と前記位置情報が得られた時間を表す第１の時間情報とを関連付けて第１の記憶手段に記憶する第１の記憶ステップと、
　画像情報と前記画像情報が得られた時間を表す第２の時間情報とを関連付けて第２の記憶手段に記憶する第２の記憶ステップと、
　前記画像情報に関連付けられた前記第２の時間情報に基づいて、前記第１の記憶手段に記憶された第１の時間情報から、所定の第１の時間情報を抽出する抽出ステップと、
　前記抽出ステップで抽出された前記所定の第１の時間情報に基づいて、前記画像情報と所定の位置情報とを関連付ける関連付けステップと
　を含む情報処理方法。」
　
　
第４　当審の判断
１　刊行物の記載、刊行物に記載された発明
　刊行物１には、上記第２の４（２）の事項が記載されており、上記第２の４（３）（ア）ないし（エ）によれば、上記第２の４（３）（オ）のとおり刊行物１発明を認定することができる。
　
２　対比
（ａ）「情報処理方法」
　上記第２の４（４）（ａ）を援用すると、
　刊行物１発明は本件補正発明と同様に、“情報処理方法”に関するといえる。
　
（ｂ）「位置情報と前記位置情報が得られた時間を表す第１の時間情報とを関連付けて第１の記憶手段に記憶する第１の記憶ステップ」
　上記第２の４（４）（ｂ）において、本件補正発明の第１の記憶ステップが「所定期間毎に、」記憶するのに対して、本願発明にはそのような限定がない点で相違するほかは同じである。
　よって、上記第２の４（４）（ｂ）を援用すると、
　刊行物１発明と本願発明は、『位置情報と前記位置情報が得られた時間を表す第１の時間情報とを関連付けて、第１の記憶手段に記憶する第１の記憶ステップ』を含む点で一致する。
　
（ｃ）「画像情報と前記画像情報が得られた時間を表す第２の時間情報とを関連付けて第２の記憶手段に記憶する第２の記憶ステップ」
　上記第２の４（４）（ｃ）を援用すると、
　刊行物１発明と本願発明は、『画像情報と前記画像情報が得られた時間を表す第２の時間情報とを関連付けて第２の記憶手段に記憶する第２の記憶ステップ』を含む点で一致する。
　
（ｄ）「前記画像情報に関連付けられた前記第２の時間情報に基づいて、前記第１の記憶手段に記憶された第１の時間情報から、所定の第１の時間情報を抽出する抽出ステップ」
　刊行物１発明は、「ＲＡＭカード３６から取り込まれた車載用ナビゲーション装置の走行軌跡（座標及び通過時刻）」と「撮影した日時が併せて保持されている写真データ」とを用いて、「各写真についてそれぞれの日時に基づき撮影された位置座標を検索」するものであるところ、
　「各写真」が撮影された「位置座標を検索」して、その検索結果を取得するためには、各写真ごとに、前記写真が撮影された「日時」と、走行軌跡のうちの「通過時刻」とを比較して、ＲＡＭカード３６に複数記憶された「通過時刻」の中から、所定の「通過時刻」を抽出しているといえることから、
　刊行物１発明は、“写真が得られた日時に基づいて、ＲＡＭカード３６に複数記憶された通過時刻から、所定の通過時刻を抽出する”といえる。
　そして、「写真」、「写真が得られた日時」、「通過時刻」、「ＲＡＭカード３６」が、それぞれ“画像情報”、“第２の時間情報”、“第１の時間情報”、“第１の記憶手段”といい得ることや、「写真」と「写真が得られた日時」が関連付けられていることは、上記記第２の４（４）のとおりである。
　そうすると、刊行物１発明は、“画像情報に関連付けられた第２の時間情報に基づいて、第１の記憶手段に記憶された第１の時間情報から、所定の第１の時間情報を抽出する抽出ステップ”を含むといえる。
　以上によると、刊行物１発明と本願発明は、『前記画像情報に関連付けられた前記第２の時間情報に基づいて、前記第１の記憶手段に記憶された第１の時間情報から、所定の第１の時間情報を抽出する抽出ステップ』を含む点で一致する。
　
（ｅ）「前記抽出ステップで抽出された前記所定の第１の時間情報に基づいて、前記画像情報と所定の位置情報とを関連付ける関連付けステップ」
　上記第２の４（４）（ｅ）を援用すると、
　刊行物１発明と本願発明は、『前記抽出ステップで抽出された前記所定の第１の時間情報に基づいて、前記画像情報と所定の位置情報とを関連付ける関連付けステップ』を含む点で一致する。
　
３　まとめ
　以上によると、本願発明は、刊行物１に発明とすべての構成において一致し、相違点がないから、本願発明は刊行物１発明と一致する。
　したがって、本願の請求項１に係る発明は、刊行物１に記載された発明であるから、特許法第２９条第１項第３号に規定する発明に該当し、特許を受けることができない。
　
４　その他
　仮に、上記第４の２（ｄ）に、上記第２の４（４）（ｄ）のような相違点があるとしても、上記第２の４（６）の判断を、「本件補正発明」を「本願発明」と読み替えて援用することで、刊行物１発明に刊行物２に記載された発明を適用して本願発明の構成とすることは、当業者が容易になし得ることである。
　そして、本願発明の効果は、その容易になし得ることである構成から当業者が予測し得る範囲内のものであり、同範囲を超える格別顕著なものでもない。
　よって、本願発明は、刊行物１、２に記載された発明に基づいて当業者が容易に発明をすることができたものであるから、特許法第２９条第２項の規定に該当し、特許を受けることができない。
　
　
第５　むすび
　以上のとおり、本願の請求項１に係る発明は、刊行物１に記載された発明であるから、特許法第２９条第１項第３号に規定する発明に該当し、特許を受けることができない。
　若しくは、本願の請求項１に係る発明は、刊行物１に記載された発明、刊行物２に記載された発明に基づいて当業者が容易に発明をすることができたものであるから、特許法第２９条第２項の規定に該当し、特許を受けることができない。
　したがって、本願は、残る請求項２ないし１８に係る発明について検討するまでもなく、拒絶をすべきものである。
　
　よって、結論のとおり審決する。